(57)【要約】【課題】導光板に潜像させた像を明瞭に表示することが可能な表示装置を提供すること。【解決手段】入射面４１Ａ，４１Ｂ、表示させるべき像の形状とされた反射領域４２Ａａ，４２Ｂａが形成された反射面４２Ａ，４２Ｂ、および出射面４３Ａ，４３Ｂを有する第１および第２導光板４Ａ，４Ｂと、入射面４１Ａ，４１Ｂの正面に位置する第１および第２光源３Ａ，３Ｂと、を備えており、入射面４１Ａ，４１Ｂから入射した光Ｌ１，Ｌ２を反射面４２Ａ，４２Ｂによって出射方向前方へと反射させることにより、出射面４３Ａ，４３Ｂを透して任意の像を表示する構成とされた表示装置Ａ１であって、導光板４Ａ，４Ｂに対して出射方向前方に位置し、かつ透過する光の色温度を変化させること無く光量を減少させる減光透過フィルム６と、導光板４Ａ，４Ｂに対して出射方向後方に位置し、かつ反射する光の光量を減少させる暗色面５ａと、を備えている。【選択図】  図３
2008145657.tif 000002
【特許請求の範囲】
【請求項１】
出射方向と一致する厚さ方向に対して垂直である方向を向く入射面、出射方向後方に位置しており表示させるべき像の形状とされた反射領域が形成された反射面、および出射方向前方に位置する出射面を有する１以上の導光板と、
上記入射面の正面に位置する１以上の光源と、を備えており、
上記入射面から入射した光を上記反射面によって出射方向前方へと反射させることにより、上記出射面を透して任意の像を表示する構成とされた表示装置であって、
上記導光板に対して出射方向前方に位置し、かつ透過する光の色温度を変化させること無く光量を減少させる減光透過層と、
上記導光板に対して出射方向後方に位置し、かつ反射する光の光量を減少させる暗色面と、を備えていることを特徴とする、表示装置。
【請求項２】
出射方向において積層された第１および第２導光板と、
上記第１導光板の上記入射面の正面に位置する第１光源および上記第２導光板の上記入射面の正面に位置する第２光源と、
上記第１および第２導光板ならびに上記第１および第２光源を収容するケースと、を備えており、
上記第１導光板のうち上記入射面と反対側に位置する端面は、出射方向視において上記第２導光板のうち上記入射面と反対側に位置する端面よりも上記第１導光板の上記入射面から離間しており、
上記ケースには、上記第１導光板に対して上記第２導光板側から当接し、かつ出射方向視において上記第１導光板の上記端面と上記第２導光板の上記端面との間に位置する部分を有する第１当接面と、上記第２導光板に対して上記第１導光板とは反対側からから当接する第２当接面と、が形成されている、請求項１に記載の表示装置。
【請求項３】
上記第１導光板の上記端面は、上記出射方向において上記第２導光板から離間するほど上記第１導光板の上記入射面から離間するように傾斜している、請求項２に記載の表示装置。
【請求項４】
上記第１当接面と上記第２当接面との出射方向における距離は、上記第２導光板の厚さよりも大とされている、請求項２または３に記載の表示装置。
【発明の詳細な説明】
【技術分野】
【０００１】
本発明は、導光板に潜像された所望の像を光源からの光によって顕像させる表示装置に関する。
【背景技術】
【０００２】
図９は、従来の表示装置の一例を示している（たとえば、特許文献１参照）。同図に示された表示装置Ｘは、ケース９１、基板９２、第１および第２光源９３Ａ，９３Ｂ、第１および第２導光板９４，９５、およびマスクシート９６を備えている。第１および第２光源９３Ａ，９３Ｂは、ＬＥＤ素子からなり、基板９２に実装されている。基板９２と第１および第２光源９３Ａ，９３Ｂとは、ケース９１に収容されている。第１および第２導光板９４，９５は、透明なエポキシ樹脂からなる略矩形状板であり、ケース９１内において積層されている。第１および第２導光板９４，９５には、入射面９４ａ，９５ａ、反射面９４ｂ，９５ｂ、出射面９４ｃ，９５ｃ、および端面９４ｄ，９５ｄが形成されている。入射面９４ａ，９５ａは、第１および第２光源９３Ａ，９３Ｂからの光Ｌ１，Ｌ２を入射させるための面である。反射面９４ｂ，９５ｂは、入射面９４ａ，９５ａからの光Ｌ１，Ｌ２を出射面９４ｃ，９５ｃに向けて反射させる面である。端面９４ｄ，９５ｄは、第１および第２導光板９４，９５内を進行してきた光Ｌ１，Ｌ２を反射面９４ｂ，９５ｂへと向かわせるための面である。
【０００３】
反射面９４ｂ，９５ｂのそれぞれには、反射領域（図示略）が設けられている。この反射領域は、反射面９４ｂ，９５ｂの任意の部分に対して、溝、ドット、あるいはエッチング処理による粗面などが形成された領域である。反射面９４ｂ、９５ｂのうち、この反射領域が形成された部分によって光Ｌ１，Ｌ２が反射される。第１導光板９４の反射領域と第２導光板９５の反射領域とは、平面視において互いに異なる形状とされている。第１光源９３Ａのみを点灯させると、第１導光板９４に反射領域の形状として潜像された任意の像が、光出射面９４ｃから出射する光Ｌ１によって顕像される。一方、第２光源９３Ｂのみを点灯させると、第２導光板９５に反射領域の形状として潜像された他の像が、光出射面９５ｃから出射する光Ｌ２によって顕像される。このように、表示装置Ｘによれば、マスクシート９６の開口９６ａを表示領域として、互いに形状が異なる２種類の像を表示させることができる。
【０００４】
しかしながら、第１および第２導光板９４，９５のそれぞれに潜像させた像を個別にかつ明瞭に表示させることは困難である。まず、反射面９４ｂ，９５ｂのうち上述した反射領域以外の領域であっても、光Ｌ１，Ｌ２を若干反射してしまうことは避けられない。この反射領域以外の領域による反射は、第１および第２導光板９４，９５のそれぞれに潜像させた像を表示させた際に、そのコントラストを低下させる原因となる。また、たとえば第１光源９３Ａのみを点灯させることにより第１導光板９４に潜像させた像を表示させる場合に、端面９４ｄで反射した光Ｌ１の一部が第２導光板９５の反射面９５ｂに達してしまうおそれがある。このようなことでは、第１導光板９４に潜像させた像を表示させるだけでなく、第２導光板９５に潜像させた像が浮かび上がってしまうという不具合があった。
【０００５】
【特許文献１】登録実用新案第３０１０４６０号公報
【発明の開示】
【発明が解決しようとする課題】
【０００６】
本発明は、上記した事情のもとで考え出されたものであって、導光板に潜像させた像を明瞭に表示することが可能な表示装置を提供することをその課題とする。
【課題を解決するための手段】
【０００７】
本発明によって提供される表示装置は、出射方向と一致する厚さ方向に対して垂直である方向を向く入射面、出射方向後方に位置しており表示させるべき像の形状とされた反射領域が形成された反射面、および出射方向前方に位置する出射面を有する１以上の導光板と、上記入射面の正面に位置する１以上の光源と、を備えており、上記入射面から入射した光を上記反射面によって出射方向前方へと反射させることにより、上記出射面を透して任意の像を表示する構成とされた表示装置であって、上記導光板に対して出射方向前方に位置し、かつ透過する光の色温度を変化させること無く光量を減少させる減光透過層と、上記導光板に対して出射方向後方に位置し、かつ反射する光の光量を減少させる暗色面と、を備えていることを特徴としている。
【０００８】
このような構成によれば、上記反射面のうち上記反射領域以外の部分から出射方向後方に漏れた光を上記暗色面によって吸収することができる。また、上記反射領域以外の部分から上記出射面を透して出射方向前方へと向かう光を、上記減光透過層によってほとんど目立たない程度の光量とすることができる。したがって、上記反射領域によって反射された光の光量を相対的に大とすることが可能であり、上記導光板に潜像された像を表示させたときのコントラストを向上させることができる。
【０００９】
本発明の好ましい実施の形態においては、出射方向において積層された第１および第２導光板と、上記第１導光板の上記入射面の正面に位置する第１光源および上記第２導光板の上記入射面の正面に位置する第２光源と、上記第１および第２導光板ならびに上記第１および第２光源を収容するケースと、を備えており、上記第１導光板のうち上記入射面と反対側に位置する端面は、出射方向視において上記第２導光板のうち上記入射面と反対側に位置する端面よりも上記第１導光板の上記入射面から離間しており、上記ケースには、上記第１導光板に対して上記第２導光板側から当接し、かつ出射方向視において上記第１導光板の上記端面と上記第２導光板の上記端面との間に位置する部分を有する第１当接面と、上記第２導光板に対して上記第１導光板とは反対側からから当接する第２当接面と、が形成されている。このような構成によれば、上記第１光源を点灯させた場合に、上記端面によって上記第２導光板に向けて反射された光を上記第１当接面によって適切に遮ることが可能である。したがって、上記第１および第２導光板に潜像された像を明瞭に表示することができる。
【００１０】
本発明の好ましい実施の形態においては、上記第１導光板の上記端面は、上記出射方向において上記第２導光板から離間するほど上記第１導光板の上記入射面から離間するように傾斜している。このような構成によれば、上記第１導光板の上記端面から上記第２導光板に向けて光が反射されることを適切に防止することができる。
【００１１】
本発明の好ましい実施の形態においては、上記第１当接面と上記第２当接面との出射方向における距離は、上記第２導光板の厚さよりも大とされている。このような構成によれば、上記第１導光板と上記第２導光板との間に隙間を設けることが可能である。この隙間により、上記第１導光板から上記第２導光板へと不当に向かう光を反射させることができる。
【００１２】
本発明のその他の特徴および利点は、添付図面を参照して以下に行う詳細な説明によって、より明らかとなろう。
【発明を実施するための最良の形態】
【００１３】
以下、本発明の好ましい実施の形態につき、図面を参照して具体的に説明する。
【００１４】
図１〜図５は、本発明に係る表示装置の第１実施形態を示している。本実施形態の表示装置Ａ１は、ケース１、基板２、２つの第１光源３Ａ、２つの第２光源３Ｂ、２つの第１導光板４Ａ、２つの第２導光板４Ｂ、２つの暗色シート５、減光透過フィルム６、およびマスクシート７を備えている。表示装置Ａ１は、図１に示された像と図２に示された像とを任意に切り替えて表示可能に構成されている。
【００１５】
表示装置Ａ１の用途としては、たとえば電子機器のスイッチの背景表示が挙げられる。表示装置Ａ１に透明なタッチパネルを重ね合わせた構成とすることにより、１つのスイッチに２つの機能を割り当てることが可能である。表示装置Ａ１の表示を適宜切り替えれば、上記スイッチがいずれの機能を果たすものであるかを使用者に適切に視認させることができる。
【００１６】
ケース１は、全体が扁平な略直方体形状であり、たとえば白色の樹脂からなる。図５に示すように、ケース１には、基板２、第１および第２光源３Ａ，３Ｂ、第１および第２導光板４Ａ，４Ｂ、および暗色シート５を収容するための凹部が形成されている。この凹部を形成する面の一部は、第１当接面１１および第２当接面１２とされている。第２当接面１２は、第１当接面よりも上記凹部の奥方に位置している。第１当接面１１は、略環状とされており、平面視において第２当接面１２を囲う形状とされている。ケース１には、コネクタ１２が形成されている。コネクタ１２は、表示装置Ａ１への電力供給および表示切替指令の入力に用いられる。
【００１７】
基板２は、長細状の絶縁基板であり、たとえばガラスエポキシ樹脂からなる。基板２には、２つの第１光源３Ａおよび２つの第２光源３Ｂが搭載されている。
【００１８】
第１光源３Ａは、第１導光板４Ａに潜像された像を顕像するための光源であり、たとえば２つのＬＥＤ素子３１からなる。第２光源３Ｂは、第２導光板４Ｂに潜像された像を顕像するための光源であり、たとえば２つのＬＥＤ素子３１からなる。図１および図２に示すように２つの第１光源３Ａは、基板２の長手方向において離間配置されている。また、図３に示すように、各第２光源３Ｂは、基板２の幅方向において各第１光源３Ａと隣接するように配置されている。
【００１９】
２つの第１導光板４Ａは、図１および図２に示すように基板２の長手方向に沿って離間配置されている。第１導光板４Ａは、たとえば透明なエポキシ樹脂からなり、多角形状とされている。第１導光板４Ａには、入射面４１Ａ、反射面４２Ａ、出射面４３Ａ、１対の側面４４Ａ、および端面４５Ａが形成されている。
【００２０】
入射面４１Ａは、第１光源３Ａの正面に位置しており、第１光源３Ａからの光Ｌ１を入射させるための面である。反射面４２Ａは、反射領域４２Ａａが作りこまれた面である。図５に示すように、反射領域４２Ａａは、反射面４２Ａに、溝、ドット、あるいはエッチングによる粗面などが形成された領域である。反射領域４２Ａａは、第１導光板４Ａに潜像させるべき像の形状とされている。反射面４２Ａに向かってきた光Ｌ１のうち反射領域４２Ａａに到達したものが、出射面４３Ａに向けて反射される。
【００２１】
出射面４３Ａは、反射領域４２Ａａから向かってきた光Ｌ１を出射するための面である。端面４５Ａは、入射面４１Ａとは反対側に位置しており、第１導光板４Ａ内を進行してきた光Ｌ１を第１導光板４Ａ内に向けて折り返すための面である。本実施形態においては、端面４５Ａは、第２導光板４Ｂから遠ざかるほど入射面４１Ａから離間するように傾斜している。１対の側面４４Ａは、入射面４１Ａと端面４５Ａとが離間する方向と直角である方向において離間配置されている。側面４４Ａは、端面４５Ａと同様に出射方向前方に向かうほど末広がり状となるように傾斜している。
【００２２】
２つの第２導光板４Ｂは、図１および図２に示すように基板２の長手方向に沿って離間配置されている。また、図３および図４に示すように、各第２導光板４Ｂは、各第１導光板４Ａに対して出射方向後方に配置されている。第１導光板４Ａと同様に、第２導光板４Ｂには、入射面４１Ｂ、反射面４２Ｂ、出射面４３Ｂ、１対の側面４４Ｂ、および端面４５Ｂが形成されている。
【００２３】
反射面４２Ｂには、反射領域４２Ａａと同様の構造とされた反射領域４２Ｂａが作りこまれている。反射領域４２Ｂａは、第２導光板４Ｂに潜像させるべき像の形状とされている。１対の側面４４Ｂおよび端面４５Ｂは、出射方向前方に向かうほど末広がり状となるように傾斜している。図１および図２に示すように、第２導光板４Ｂは、その平面視寸法が第１導光板４Ａよりも小とされている。すなわち、１対の側面４４Ｂおよび端面４５Ｂが、１対の側面４４Ａおよび端面４５Ａよりも第１導光板４Ａの平面視内方に配置されている。
【００２４】
２つの暗色シート５は、たとえば黒色または暗灰色の樹脂製シートである。暗色シート５は、第２導光板４Ｂに対して出射方向後方に配置されている。暗色シート５は、黒色または暗灰色の暗色面５ａを形成するために設けられている。
【００２５】
マスクシート７は、たとえば不透明な樹脂からなり、第１導光板４Ａに対して出射方向前方に配置されている。マスクシート７には、２つの開口７ａが形成されている。開口７ａは、出射面４３Ａ，４３Ｂよりもその平面視寸法が小とされている。
【００２６】
減光透過フィルム６は、本発明で言う減光透過層の一例であり、透過する光の色温度を変化させることなく光量を減少させることが可能である灰色のフィルムであり、たとえばＮＤフィルタと称されるものである。減光透過フィルム６は、第１導光板４Ａに対して出射方向前方に配置されており、２つの開口７ａを覆っている。
【００２７】
図５に示すように、表示装置Ａ１を組み立てる際には、２つの暗色シート５、２つの第２導光板４Ｂ、２つの第１導光板４Ａの順でケース１に挿入する。第２導光板４Ｂは、第２当接面１２に当接することによりケース１内における位置決めがなされる。第２導光板４Ｂを挿入すると、第２導光板４Ｂを第１当接面１１が囲う格好となる。第１導光板４Ａは、第１当接面１１に当接することにより位置決めがなされる。図３および図４に示すように、第１当接面１１と第２当接面１２との出射方向における距離は、第２導光板４Ｂの厚さよりも大とされている。これにより、第１導光板４Ａと第２導光板４Ｂとの間には、隙間が生じている。
【００２８】
次に、表示装置Ａ１の作用について説明する。
【００２９】
本実施形態によれば、第１導光板４Ａおよび第２導光板４Ｂに潜像された像を明瞭に表示することが可能である。たとえば、第２光源３Ｂを点灯させた場合、光Ｌ２の一部は、反射面４２Ｂのうち反射領域４２Ｂａ以外の領域から出射方向後方に漏れてしてしまう。この漏れてしまった光Ｌ２の多くを、暗色面５ａによって吸収することが可能である。これにより、反射領域４２Ｂａによって反射された光によって顕像された像のコントラストを向上させることができる。
【００３０】
また、暗色面５ａによって吸収しきれないわずかな光Ｌ２を減光透過フィルム６によってほとんど吸収してしまうことが可能である。一方、反射領域４２Ｂａによって反射された光Ｌ２は、相対的に大光量であるため減光透過フィルム６を透過した後も、相対的には光量が大きい。この減光透過フィルム６の機能により、反射領域４２Ｂａによって反射された光によって顕像された像のコントラストをさらに向上させることができる。第２導光板４Ｂだけでなく第１導光板４Ａの反射領域４２Ａａによって反射された光によって顕像された像に対しても、この減光透過フィルム６によるコントラストの向上を図ることができることは言うまでもない。
【００３１】
減光透過フィルム６の他の効果としては、外光によって誤って顕像されてしまうことの防止が挙げられる。すなわち、第１および第２光源３Ａ，３Ｂを点灯させない場合に、外光が第１導光板４Ａまたは第２導光板４Ｂに入射すると、この光が反射領域４２Ａａ，４２Ｂａに反射されることにより、うっすらと像が浮かび上がってしまうことがある。減光透過フィルム６を備えることにより、反射領域４２Ａａ，４２Ｂａによって反射されたわずかな外光をほとんど吸収してしまうことが可能である。これにより、外光の入射によってうっすらと像が浮かび上がってしまうことを防止することができる。
【００３２】
第１当接面１１は、１対の側面４４Ａおよび端面４５Ａに対して平面視内側に設けられている。このため、第１光源３Ａが点灯されたときに、１対の側面４４Ａおよび端面４５Ａによって反射された光Ｌ１のうち第２導光板４Ｂへと向かおうとする光を第１当接面１１によって遮ることが可能である。したがって、第１光源３Ａを点灯させることによって第１導光板４Ａに潜像された像を表示させたい場合に、第２導光板４Ｂに潜像された像が反射光によって表示されてしまうことを適切に防止することができる。また、１対の側面４４Ａおよび端面４５Ａが出射方向前方に向かうほど末広がり状となる傾斜面とされていることにより、光Ｌ１が不当に第２導光板４Ｂに向かうことをさらに防止することができる。
【００３３】
第１導光板４Ａと第１導光板４Ｂとの間には、隙間が設けられている。この隙間を設けることにより、空気と透明エポキシ樹脂との界面が形成されている。この界面は、第１導光板４Ａから第２導光板４Ｂへと向かう光Ｌ１を反射させる機能を果たす。したがって、たとえば第１導光板４Ａと第２導光板４Ｂとが互いに密着した構成と比べて、第１導光板４Ａから第２導光板４Ｂへと誤って光Ｌ１が入射してしまうことを抑制することができる。
【００３４】
このように、光Ｌ１の漏光を適切に防止することが可能であるにもかかわらず、表示装置Ａ１を製造するときには、ケース１に対して第２導光板４Ｂおよび第１導光板４Ａを順に挿入するという簡単な作業をすれば足り、専用の遮光板などを別途設ける必要がない。これは、表示装置Ａ１の製造効率を向上させるのに適している。
【００３５】
図６〜図８は、本発明の他の実施形態を示している。なお、これらの図において、上記実施形態と同一または類似の要素には、上記実施形態と同一の符号を付している。
【００３６】
図６は、本発明に係る表示装置の第２実施形態を示している。本実施形態の表示装置Ａ２は、第１導光板４Ａと第２導光板４Ｂとの出射方向における位置が上述した実施形態と異なっている。本実施形態においては、第１導光板４Ａは、第２導光板４Ｂに対して出射方向後方に位置している。端面４５Ａが端面４５Ｂよりも入射面４１Ａから離間している点は、上述した実施形態と同様である。また、本図には表れていないが、１対の側面４４Ａが１対の側面４４Ｂよりも平面視において外側に位置している点も第１実施形態と同様である。端面４５Ａは、出射方向後方に向かうほど末広がり状とされている。これは、第２導光板４Ｂから離間するほど入射面４１Ａから離間するように傾斜しているという点は、第１実施形態と同じである。第２導光板４Ｂには、複数の突起４Ｂａが形成されている。複数の突起４Ｂａは、第２導光板４Ｂの端寄りに配置されており、第１導光板４Ａと接している。ケース１には、開口１ａが形成されている。この開口１ａは、上述した第１実施形態における開口７ａと同様に、第１および第２導光板４Ａ，４Ｂからの光を表示装置Ａ２外へと出射させるためのものである。表示装置Ａ２の製造工程においても、ケース１の第２当接面１１Ｂに当接するまで第２導光板４Ｂをケース１内に挿入した後に、第１当接面１１Ａに当接するまで第１導光板４Ａをケース１内に挿入する。
【００３７】
このような実施形態によっても、暗色シート５および減光透過フィルム６の作用により、第１および第２導光板４Ａ，４Ｂに潜像された像を明瞭に表示することができる。第１光源３Ａからの光Ｌ１のうち端面４５Ａによって第２導光板４Ｂに向かう方向に反射されたものを、第１当接面１１Ａによって適切に遮ることが可能である。端面４５Ａが上述した傾斜とされていることは、光Ｌ１が不当に第２導光板４Ｂへと向かうことを防止するのに有利である。また、複数の突起４Ｂａが設けられていることにより、第１導光板４Ａと第２導光板４Ｂとの間には隙間が形成されている。この隙間により、第２導光板４Ｂから第１導光板４Ａへと光Ｌ２が不当に入射することを防止することができる。
【００３８】
図７は、本発明に係る表示装置の第３実施形態を示している。本実施形態の表示装置Ａ３は、１つの光源３および１つの導光板４を備えている。導光板４は、入射面４１、反射面４２、出射面４３、および端面４５を有している。反射面４２には、表示させるべき像の形状とされた反射領域４２ａが作りこまれている。表示装置Ａ３は、導光板４に潜像された１種類の像を表示させるための装置である。このような実施形態においても、暗色シート５および減光透過フィルム６の作用により、導光板４に潜像された像を明瞭に表示することができる。
【００３９】
図８は、本発明に係る表示装置の第４実施形態を示している。本実施形態の表示装置Ａ４は、基板２と第１および第２光源３Ａ，３Ｂとの構成が、上述した第１実施形態と異なっている。本実施形態においては、第１および第２光源３Ａ，３Ｂは、基板２の表裏面に分かれて搭載されている。基板２は、第１実施形態の表示装置Ａ１における基板２とは垂直である姿勢でケース１に収容されている。第１光源３Ａは、第２光源３Ｂよりも平面視において外方に配置されている。第１光源３Ａおよび第２光源３Ｂは、いわゆるサイドビュータイプのＬＥＤ素子３１によって構成されている。
【００４０】
このような構成によれば、第１および第２光源３Ａ，３Ｂの出射方向における高さを縮小することが可能である。これにより、第１および第２導光板４Ａ，４Ｂの厚さを薄くすることが可能であり、表示装置Ａ４全体の薄型化を図ることができる。また、第１光源３Ａを点灯させた場合に、第１光源３Ａから直接第２導光板４Ｂへと向かう光Ｌ１を、基板２のうち第２光源３Ｂが搭載されている部分によって適切に遮ることが可能である。これは、第１導光板４Ａに潜像された像のコントラストを向上させるのに有利である。
【００４１】
本発明に係る表示装置は、上述した実施形態に限定されるものではない。本発明に係る表示装置の各部の具体的な構成は、種々に設計変更自在である。
【００４２】
本発明に係る表示装置に設けられる導光板の数は、１つまたは２つに限定されず、３つ以上であってもよい。反射領域の構成は、導光板内を進行してきた光を出射面に適切に反射可能なものであればよい。第１導光板のうち端面のみが第２導光板の端面よりも第１光源から離間していれば、たとえば第１導光板と第２導光板の１対の側面にどうしが平面視において互いに重なる構成であってもよい。暗色面は、暗色シートの一面によって構成されたものに限定されず、たとえばケースの内面を暗色とすることにより形成してもよい。本発明で言う減光透過層は、減光透過フィルムに限定されず、たとえば透明板の片面に減光透過の機能を発揮可能な塗装を施した構成であってもよい。
【図面の簡単な説明】
【００４３】
【図１】本発明に係る表示装置の第１実施形態を示す平面図である。
【図２】本発明に係る表示装置の第１実施形態を示す平面図である。
【図３】図１のＩＩＩ−ＩＩＩ線に沿う断面図である。
【図４】図１のＩＶ−ＩＶ線に沿う要部断面図である。
【図５】本発明に係る表示装置の第１実施形態を示す分解斜視図である。
【図６】本発明に係る表示装置の第２実施形態を示す断面図である。
【図７】本発明に係る表示装置の第３実施形態を示す断面図である。
【図８】本発明に係る表示装置の第４実施形態を示す断面図である。
【図９】従来の表示装置の一例を示す断面図である。
【符号の説明】
【００４４】
Ａ１，Ａ２，Ａ３，Ａ４  表示装置
Ｌ，Ｌ１，Ｌ２  光
１      ケース
２    基板
３      光源
３Ａ    第１光源
３Ｂ    第２光源
４      導光板
４Ａ    第１導光板
４Ｂ    第２導光板
５      暗色シート
５ａ    暗色面
６      減光透過フィルム（減光透過層）
７      マスクシート
７ａ    開口
１１Ａ  第１当接面
１１Ｂ  第２当接面
１２    コネクタ
３１    ＬＥＤ素子
４１，４１Ａ，４１Ｂ  入射面
４２，４２Ａ，４２Ｂ  反射面
４２ａ，４２Ａａ，４２Ｂａ  反射領域
４３，４３Ａ，４３Ｂ  出射面
４４Ａ，４４Ｂ  側面
４５，４５Ａ，４５Ｂ  端面
【図３】
2008145657.tif 000003
【図４】
2008145657.tif 000004
【図６】
2008145657.tif 000005
【図７】
2008145657.tif 000006
【図８】
2008145657.tif 000007
【図９】
2008145657.tif 000008
【図１】
2008145657.tif 000009
【図２】
2008145657.tif 000010
【図５】
2008145657.tif 000011